【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
飲食店の予約を行う幹事支援システムであって、
ユーザが利用するユーザ端末からの処理要求を受け付ける処理要求受付部と、
幹事としてみなすための処理要求を幹事行動要件として記憶する幹事行動要件記憶部と、
前記処理要求受付部で受け付けた処理要求が、幹事としての行動であるかを前記幹事行動要件記憶部に記憶する幹事行動要件に基づいて判定する幹事行動判定部と、
ユーザに関する情報を記憶するユーザ情報記憶部と、
前記幹事行動判定部において、前記ユーザが幹事としての行動であることを判定すると、前記ユーザ情報記憶部に、該ユーザに幹事としてのインセンティブを付与して記憶させるインセンティブ処理部と、を有し、
前記インセンティブ処理部は、
前記幹事行動判定部において、前記ユーザが幹事としての行動であることを判定すると、前記ユーザ情報記憶部に、該ユーザに幹事としてのインセンティブとして、通常のユーザに対して付与するポイントよりも多いポイントを付与して記憶させる、
ことを特徴とする幹事支援システム。
【請求項２】
飲食店の予約を行う幹事支援システムであって、
ユーザが利用するユーザ端末からの処理要求を受け付ける処理要求受付部と、
幹事としてみなすための処理要求を幹事行動要件として記憶する幹事行動要件記憶部と、
前記処理要求受付部で受け付けた処理要求が、幹事としての行動であるかを前記幹事行動要件記憶部に記憶する幹事行動要件に基づいて判定する幹事行動判定部と、
ユーザに関する情報を記憶するユーザ情報記憶部と、
前記幹事行動判定部において、前記ユーザが幹事としての行動であることを判定すると、前記ユーザ情報記憶部に、該ユーザに幹事としてのインセンティブを付与して記憶させるインセンティブ処理部と、を有し、
前記インセンティブ処理部は、
前記幹事行動判定部において、前記ユーザが幹事としての行動であることを複数回判定すると、前記ユーザ情報記憶部に、該ユーザに幹事としてのインセンティブとして、幹事として通常付与するポイントまたは通常のユーザに対して付与するポイントよりも多いポイントを付与して記憶させる、
ことを特徴とする幹事支援システム。
【請求項３】
飲食店の予約を行う幹事支援システムであって、
ユーザが利用するユーザ端末からの処理要求を受け付ける処理要求受付部と、
幹事としてみなすための処理要求を幹事行動要件として記憶する幹事行動要件記憶部と、
前記処理要求受付部で受け付けた処理要求が、幹事としての行動であるかを前記幹事行動要件記憶部に記憶する幹事行動要件に基づいて判定する幹事行動判定部と、
ユーザに関する情報を記憶するユーザ情報記憶部と、
前記幹事行動判定部において、前記ユーザが幹事としての行動であることを判定すると、前記ユーザ情報記憶部に、該ユーザに幹事としてのインセンティブを付与して記憶させるインセンティブ処理部と、を有し、
前記インセンティブ処理部は、
前記幹事行動判定部において判定した幹事としての行動に応じて、あらかじめ定められたポイントを、前記ユーザ情報記憶部に記憶させる、
ことを特徴とする幹事支援システム。
【請求項４】
前記幹事行動要件記憶部は、
善意に対する幹事行動要件と悪意に対する幹事行動要件とを含んでおり、
前記幹事行動判定部は、
前記善意に対する幹事行動要件について、
前記処理要求受付部において受け付けた前記ユーザ端末からの処理要求に基づいて判定し、
前記悪意に対する幹事行動要件について、
飲食店に設置された読取装置または前記ユーザが利用する可搬型通信端末から、前記可搬型通信端末を前記読取装置に接触または近接させたことを示す情報を前記処理要求受付部において受け付けることによって判定する、
ことを特徴とする請求項１から請求項３のいずれかに記載の幹事支援システム。
【請求項５】
前記幹事行動要件には、特定のキャンペーンの予約処理要求が含まれており、
前記インセンティブ処理部は、
前記幹事行動判定部において、所定期間内に、前記幹事行動要件としてあらかじめ定められた特定のキャンペーンへの予約処理要求を行ったことを複数回判定すると、前記ユーザ情報記憶部に、該ユーザに幹事としてのインセンティブとして、幹事として通常付与するポイントまたは通常のユーザに対して付与するポイントよりも多いポイントを付与して記憶させる、
ことを特徴とする請求項１から請求項４のいずれかに記載の幹事支援システム。
【請求項６】
前記幹事行動要件には、少なくとも、特定のウェブサイトへのアクセス処理要求、飲食店への直接予約処理要求、担当者を利用した飲食店への予約処理要求、特定のキャンペーンの予約処理要求、他のユーザの電子メールアドレスに対する飲食店に関する情報の転送処理要求のうちのいずれかが含まれている、
ことを特徴とする請求項１から請求項５のいずれかに記載の幹事支援システム。
【手続補正２】
【補正対象書類名】明細書
【補正対象項目名】０００７
【補正方法】変更
【補正の内容】
【０００７】
第１の本発明は，飲食店の予約を行う幹事支援システムであって、ユーザが利用するユーザ端末からの処理要求を受け付ける処理要求受付部と、幹事としてみなすための処理要求を幹事行動要件として記憶する幹事行動要件記憶部と、前記処理要求受付部で受け付けた処理要求が、幹事としての行動であるかを前記幹事行動要件記憶部に記憶する幹事行動要件に基づいて判定する幹事行動判定部と、ユーザに関する情報を記憶するユーザ情報記憶部と、前記幹事行動判定部において、前記ユーザが幹事としての行動であることを判定すると、前記ユーザ情報記憶部に、該ユーザに幹事としてのインセンティブを付与して記憶させるインセンティブ処理部と、を有し、前記インセンティブ処理部は、前記幹事行動判定部において、前記ユーザが幹事としての行動であることを判定すると、前記ユーザ情報記憶部に、該ユーザに幹事としてのインセンティブとして、通常のユーザに対して付与するポイントよりも多いポイントを付与して記憶させる幹事支援システムである。
【手続補正３】
【補正対象書類名】明細書
【補正対象項目名】０００９
【補正方法】削除
【補正の内容】
【手続補正４】
【補正対象書類名】明細書
【補正対象項目名】００１４
【補正方法】変更
【補正の内容】
【００１４】
また所定期間内に複数回の幹事行動要件がある場合であっても良い。すなわち、前記幹事行動要件には、特定のキャンペーンの予約処理要求が含まれており、前記インセンティブ処理部は、前記幹事行動判定部において、所定期間内に、前記幹事行動要件としてあらかじめ定められた特定のキャンペーンへの予約処理要求を行ったことを複数回判定すると、前記ユーザ情報記憶部に、該ユーザに幹事としてのインセンティブとして、幹事として通常付与するポイントまたは通常のユーザに対して付与するポイントよりも多いポイントを付与して記憶させる、幹事支援システムのように構成することができる。
【手続補正５】
【補正対象書類名】明細書
【補正対象項目名】００１５
【補正方法】変更
【補正の内容】
【００１５】
さらに付与するポイントとしては、幹事行動要件ごとに定めることが出来る。すなわち、前記インセンティブ処理部は、前記幹事行動判定部において判定した幹事としての行動に応じて、あらかじめ定められたポイントを、前記ユーザ情報記憶部に記憶させる、幹事支援システムのように構成することができる。また、前記幹事行動要件には、少なくとも、特定のウェブサイトへのアクセス処理要求、飲食店への直接予約処理要求、担当者を利用した飲食店への予約処理要求、特定のキャンペーンの予約処理要求、他のユーザの電子メールアドレスに対する飲食店に関する情報の転送処理要求のうちのいずれかが含まれていることが望ましい。